(57)【特許請求の範囲】
【請求項１】
石鹸素地に木質成分の熱分解液の水性部分を配合して製造したことを特徴とする木質石鹸。
【請求項２】
石鹸素地に木質成分の熱分解液の水性部分の塩を配合して製造したことを特徴とする木質石鹸。
【請求項３】
中性脂肪又は脂肪酸に木質成分の熱分解液の水性部分を配合して製造したことを特徴とする木質石鹸。
【請求項４】
中性脂肪又は脂肪酸に木質成分の熱分解液の水性部分の塩を配合して製造したことを特徴とする木質石鹸。
【発明の詳細な説明】
【０００１】
【発明の属する技術分野】
この発明は、手あたりがよく使用感に優れる木質石鹸（木酢石鹸や竹酢石鹸その他）に関するものである。
【０００２】
【従来の技術】
従来より、木質成分の熱分解液の水性部分（例えば木酢液や竹酢液等）は経験的に民間療法として肌荒れの改善や水虫の抑制等の用途に用いられている。
【０００３】
しかし、その独特の燻臭がネックになっている面もありまたそのままでは利用しにくいという問題があった。
【０００４】
【発明が解決しようとする課題】
そこでこの発明は、独特の燻臭が抑えられて利用しやすくなった木質成分関連製品を提供しようとするものである。
【０００５】
【課題を解決するための手段】
前記課題を解決するためこの発明では次のような技術的手段を講じている。
▲１▼  この発明の木質石鹸は、石鹸素地に木質成分の熱分解液の水性部分を配合して製造したことを特徴とする。ここで、色素や香料などを添加してもよい。
【０００６】
前記木質成分の木質として、樹木や竹、ヤシ、わら、もみがら等を例示することができる。前記木質成分の熱分解液の水性部分として、例えば木酢液や竹酢液などを用いることができる。
【０００７】
この木質石鹸では前記のように構成した結果、その燻臭が抑えられていた。これは発明者等の予想を全く上回ることであった。
【０００８】
また石鹸素地に木質成分の熱分解液の水性部分を配合しており、クリーミーな泡立ちの石鹸になった。つまり、木酢液や竹酢液中の酢酸成分が石鹸素地と反応して分解し脂肪酸が生成していた。すなわち、脂肪酸を製造時にわざわざ添加することなく高級石鹸にすることができ、手あたりがよく使用感に優れる（クリーミーな泡立ち）。
▲２▼  この発明の木質石鹸は、石鹸素地に木質成分の熱分解液の水性部分の塩を配合して製造したことを特徴とする。ここで、色素や香料などを添加してもよい。
【０００９】
前記木質成分の熱分解液の水性部分の塩として例えば木酢液の塩や竹酢液の塩を用いることができ、塩としてナトリウム塩、カリウム塩等を例示することができる。
【００１０】
この木質石鹸では前記のように構成した結果、その燻臭が抑えられていた。これは発明者等の予想を全く上回ることであった。
【００１１】
また石鹸素地に木質成分の熱分解液の水性部分の塩を配合しており、クリ−ミーな泡立ちの石鹸になった。
【００１２】
なお、木酢液や竹酢液を配合した場合、それらが有する肌荒れの改善や水虫の抑制等の効用はそのまま維持されていた。
▲３▼  この発明の木質石鹸は、中性脂肪又は／及び脂肪酸に木質成分の熱分解液の水性部分を配合して製造したことを特徴とする。ここで、色素や香料などを添加してもよい。
【００１３】
この木質石鹸では前記のように構成した結果、その燻臭が抑えられていた。これは発明者等の予想を全く上回ることであった。
【００１４】
また中性脂肪又は／及び脂肪酸に木質成分の熱分解液の水性部分を配合しており、各成分が自然に溶け込み混合するのでマイルドな石鹸になった。
▲４▼  この発明の木質石鹸は、中性脂肪又は／及び脂肪酸に木質成分の熱分解液の水性部分の塩を配合して製造したことを特徴とする。ここで、色素や香料などを添加してもよい。
【００１５】
この木質石鹸では前記のように構成した結果、その燻臭が抑えられていた。これは発明者等の予想を全く上回ることであった。
【００１６】
また中性脂肪又は／及び脂肪酸に木質成分の熱分解液の水性部分の塩を配合しており、各成分が自然に溶け込み混合するのでマイルドな石鹸になった。
▲５▼  上記の通りこの木質石鹸は、中性脂肪又は／及び脂肪酸又は／及び石鹸素地に、木質成分の熱分解液の水性部分又は／及びその塩を配合して製造した結果、その燻臭が抑えられており、これは発明者等の予想を全く上回ることであった。
【００１７】
この木質石鹸は、固形のものとして形成することができ、また液状その他のものとして形成することもできる。
【００１８】
【発明の実施の形態】
以下、この発明の実施の形態をより具体的に説明する。
（実施形態１）
中性脂肪（牛脂、羊脂などに代表される動物性油脂や、ヤシ油、パーム油、パーム核油、オリーブ油、大豆油、綿実油などに代表される植物性油脂）の各単独ないし混合物を水酸化ナトリウム、水酸化カリウム等でけん化し、木質成分の熱分解液の水性部分（木酢液、竹酢液等）を添加、混合することにより木質石鹸を製造した。
【００１９】
木質成分の熱分解液の水性部分の添加量は、約０．０１から２０重量％程度までが可能であるが、約０．５から５重量％程度が手当たりその他使用感の点で好適であった。
（実施形態２）
中性脂肪（牛脂、羊脂などに代表される動物性油脂や、ヤシ油、パーム油、パーム核油、オリーブ油、大豆油、綿実油などに代表される植物性油脂）の各単独ないし混合物を水酸化ナトリウム、水酸化カリウム等でけん化し、木質成分の熱分解液の水性部分（木酢液、竹酢液等）の塩を添加、混合することにより木質石鹸を製造した。
【００２０】
木質成分の熱分解液の水性部分の塩の添加量は、約０．０１から２０重量％程度までが可能であるが、約０．５から５重量％程度が手当たりその他使用感の点で好適であった。
（実施形態３）
実施形態１の中性脂肪を分解して得られる脂肪酸の各単独ないし混合物、又は前記脂肪酸を分離精製して得られる脂肪酸（例えばラウリン酸、ミリスチン酸、パルミチン酸、ステアリン酸、オレイン酸、イソミリスチン酸、イソパルミチン酸、イソステアリン酸など）の各単独ないし混合物を水酸化ナトリウム、水酸化カリウム等で中和して得た石鹸素地に、木質成分の熱分解液の水性部分（木酢液、竹酢液等）を添加、混錬することにより木質石鹸を製造した。
【００２１】
木質成分の熱分解液の水性部分の添加量は、約０．０１から２０重量％程度までが可能であるが、約０．５から５重量％程度が手当たりその他使用感の点で好適であった。
（実施形態４）
実施形態１の中性脂肪を分解して得られる脂肪酸の各単独ないし混合物、又は前記脂肪酸を分離精製して得られる脂肪酸（例えばラウリン酸、ミリスチン酸、パルミチン酸、ステアリン酸、オレイン酸、イソミリスチン酸、イソパルミチン酸、イソステアリン酸など）の各単独ないし混合物を水酸化ナトリウム、水酸化カリウム等で中和して得た石鹸素地に、木質成分の熱分解液の水性部分（木酢液、竹酢液等）の塩を添加、混錬することにより木質石鹸を製造した。
【００２２】
木質成分の熱分解液の水性部分の塩の添加量は、約０．０１から２０重量％程度までが可能であるが、約０．５から５重量％程度が手当たりその他使用感の点で好適であった。
（実施形態５）
石鹸素地（高級脂肪酸ナトリウムの混合物に、微量のグリセリン、塩化ナトリウム、安定剤等を含めたもの）に木酢液を加え、混錬し成型して、木酢石鹸を得た。ここで色素や香料を添加して混錬してもよい。なお、木酢液の添加量は、約０．０１重量％から２０重量％程度まで可能であるが、約０．５重量％から５重量％程度が手あたりその他の使用感の点で好適であった。
【００２３】
前記のようにして製造した木酢石鹸について、脂肪酸の試験法によって、遊離の脂肪酸が生じていることが判明し、手当たりのよい高級石鹸と同じ状態になっていた。すなわち、製造時に脂肪酸を添加しなくても手当たりがよい石鹸が得られるという利点がある。
【００２４】
ここで、上記各実施形態について、石鹸製造時に必要に応じてグリセリン、白糖等の保湿成分、果実酸（クエン酸、リンゴ酸等）、アロエエキスなどの植物抽出物、アルコール、香料、色素、安定剤、酸化防止剤、防腐剤、殺菌剤などを適量添加して製造してもよい。
【００２５】
【実施例】
次のような処方により、各成分を配合して木質石鹸を製造した。
（実施例１）
中性脂肪として牛脂とヤシ油の混合物を用い、白糖、水、木酢液（大幸テック社製、商品名  木酢紀行）、グリセリン、エタノール、ＥＤＴＡ−４Ｎａを加えて木酢石鹸を製造した。処方は、牛脂６０重量％、ヤシ油１５重量％、水酸化ナトリウム１６重量％、エタノール２重量％、グリセリン２重量％、ＥＤＴＡ−４Ｎａ１重量％、木酢液２重量％、白糖２重量％で行った。
【００２６】
具体的には、加熱撹拌された中性脂肪に水酸化ナトリウムを加えてけん化し、できた液化物をエタノールに溶解させた。その後、前記液にグリセリン、白糖を入れて撹拌し、木酢液を添加して撹拌し、型に流し込んで冷却、固化させた。固化後、切断、型うちし、乾燥させた。
【００２７】
このようにして製造した木酢石鹸は、各成分が自然に溶け込んで混合し、マイルドでしっかりした石鹸となった。使用感も非常にマイルドな手当たりで、石鹸カスも出にくいものであった。また、木酢液独特の燻臭が抑えられて利用しやすいものであった。
（実施例２）
中性脂肪としてヤシ油を用い、水、木酢液（大幸テック社製、商品名  木酢紀行）、エタノール、増粘剤を加えて木酢石鹸を製造した。処方は、ヤシ油４２重量％、水４０重量％、水酸化カリウム１０重量％、エタノール５重量％、木酢液２重量％、ヒドロキシメチルセルロース（増粘剤）１重量％で行った。
【００２８】
具体的には、加熱撹拌された中性脂肪に水酸化カリウムを加えてけん化し、エタノールを加えた後、木酢液を少しずつ添加した。その後、水、ヒドロキシメチルセルロースを加え粘度の調製を行った。
【００２９】
このようにして製造した木酢石鹸は液体状であり、各成分が自然に溶け込んで混合し、マイルドでしっかりした石鹸となった。使用感も非常にマイルドな手当たりで、クリ−ミーな泡立ちであった。また、木酢液独特の燻臭が抑えられて利用しやすいものであった。
（実施例３）
中性脂肪として牛脂とヤシ油の混合物を用い、白糖、水、木酢液（大幸テック社製、商品名  木酢紀行）のナトリウム塩、グリセリン、エタノール、ＥＤＴＡ−４Ｎａを加えて木酢石鹸を製造した。処方は、牛脂６０重量％、ヤシ油１５重量％、水酸化ナトリウム１５重量％、エタノール２重量％、グリセリン２重量％、ＥＤＴＡ−４Ｎａ１重量％、木酢液の水酸化ナトリウム中和塩３重量％、白糖２重量％で行った。
【００３０】
具体的には、加熱撹拌された中性脂肪に水酸化ナトリウムを加えてけん化し、できた液化物をエタノールに溶解させた。その後、前記液にグリセリン、白糖を入れて撹拌し、木酢液のナトリウム塩を添加して撹拌し、型に流し込んで冷却、固化させた。固化後、切断、型うちし、乾燥させた。
【００３１】
このようにして製造した木酢石鹸は、各成分が自然に溶け込んで混合し、マイルドでしっかりした石鹸となった。使用感も非常にマイルドな手当たりで、石鹸カスも出にくいものであった。また、木酢液独特の燻臭が抑えられて利用しやすいものであった。
（実施例４）
石鹸素地（植物性高級脂肪酸ナトリウムの混合物に、微量のグリセリン、塩化ナトリウム、安定剤等を含めたもの）に木酢液（大幸テック社製、商品名  木酢紀行）、カラメル（色素）を加えて木酢石鹸を製造した。処方は、石鹸素地（植物性高級脂肪酸ナトリウムの混合物に、微量のグリセリン、塩化ナトリウム、安定剤等を含めたもの）９７．９７重量％、木酢液（大幸テック社製、商品名  木酢紀行）２．０重量％、カラメル（色素）０．０３重量％である。
【００３２】
具体的には、植物性高級脂肪酸に水酸化ナトリウムを加えて中和させ、グリセリン、塩化ナトリウム、安定剤（エチドロン酸４Ｎａ）等を混ぜて石鹸素地を形成した後、木酢液、カラメルを添加し、混錬、押し出し、切断、型うちして製造した。
【００３３】
この木酢石鹸は短時間で製造することができ、できた石鹸は燻臭が抑えられて手当たりがよく、使用感に優れクリ−ミーな泡立ちであった。
【００３４】
この処方により製造された木酢石鹸について、脂肪酸の試験法により、酸価１．９と判定され、遊離の脂肪酸が生じていることが確認された。
（実施例５）
石鹸素地（植物性高級脂肪酸ナトリウムの混合物に、微量のグリセリン、塩化ナトリウム、安定剤等を含めたもの）に木酢液（大幸テック社製、商品名  木酢紀行）のナトリウム塩、カラメル（色素）を加えて木酢石鹸を製造した。処方は、石鹸素地（植物性高級脂肪酸ナトリウムの混合物に、微量のグリセリン、塩化ナトリウム、安定剤等を含めたもの）  ９７．９７重量％、木酢液（大幸テック社製、商品名  木酢紀行）のナトリウム塩  ２．０重量％、カラメル（色素）０．０３重量％である。
【００３５】
具体的には、植物性高級脂肪酸に水酸化ナトリウムを加えて中和させ、グリセリン、塩化ナトリウム、安定剤（エチドロン酸４Ｎａ）等を混ぜて石鹸素地を形成した後、木酢液のナトリウム塩、カラメルを添加し、混錬、押し出し、切断、型うちして製造した。
【００３６】
この木酢石鹸は短時間で製造することができ、できた石鹸は燻臭が抑えられて手当たりがよく、使用感に優れクリ−ミーな泡立ちであった。
（実施例６）
石鹸素地（植物性高級脂肪酸ナトリウムの混合物に、微量のグリセリン、塩化ナトリウム、安定剤等を含めたもの）に木酢液（大幸テック社製、商品名  木酢紀行）のエタノール希釈液を加えて木酢石鹸を製造した。処方は石鹸素地（植物性高級脂肪酸ナトリウムの混合物に、微量のグリセリン、塩化ナトリウム、安定剤等を含めたもの）７０重量％、木酢液（大幸テック社製、商品名  木酢紀行）２．０重量％、エタノール２８重量％で行った。
【００３７】
具体的には、植物性高級脂肪酸に水酸化ナトリウムを加えて中和させ、グリセリン、塩化ナトリウム、安定剤（エチドロン酸４Ｎａ）等を混ぜて石鹸素地を形成した後、木酢液をあらかじめエタノールで希釈した液を添加し、混錬、押し出し、切断、型うちして製造した。
【００３８】
この木酢石鹸は短時間で製造することができる。また、木酢液をエタノールであらかじめ希釈してから加えたので、石鹸素地の脂肪酸蘇生率を抑制することができる。できた石鹸は燻臭が抑えられて手当たりがよく、使用感に優れクリ−ミーな泡立ちであった。
（実施例７）
石鹸素地（植物性高級脂肪酸ナトリウムの混合物に、微量のグリセリン、塩化ナトリウム、安定剤等を含めたもの）に木酢液（大幸テック社製、商品名  木酢紀行）を香料希釈液（ヒノキ精製油にエタノールを加えて希釈した液）に加えた液、色素（グンジョウ）を加えて木酢石鹸を製造した。処方は、石鹸素地（植物性高級脂肪酸ナトリウムの混合物に、微量のグリセリン、塩化ナトリウム、安定剤等を含めたもの）８８重量％、木酢液香料混合希釈液１０重量％（なお、木酢液は大幸テック社製、商品名  木酢紀行）、色素（グンジョウ）２重量％である。
【００３９】
具体的には、植物性高級脂肪酸に水酸化ナトリウムを加えて中和させ、グリセリン、塩化ナトリウム、安定剤（エチドロン酸４Ｎａ）等を混ぜて石鹸素地を形成した後、木酢液を香料で希釈した液、色素（グンジョウ）を添加し、混錬、押し出し、切断、型うちして製造した。
【００４０】
この木酢石鹸は短時間で製造することができた。また、木酢液をあらかじめ香料希釈液で希釈してから加えることで、香料の分散性が良好となる。できた石鹸は燻臭が抑えられて手当たりがよく、使用感に優れクリ−ミーな泡立ちであった。
（実施例８）
上記実施例１〜７において、木酢液に換えて竹酢液（大幸テック社で製造したもの。出願時点では市販しておらず。なお、この竹酢液は木酢液と同様の公知の製法により製造することができ、市場の市販品を入手することも可能である。）を使用した結果、同様の効果が得られた。
【００４１】
【発明の効果】
この発明は上述のような構成であり、次の効果を有する。
【００４２】
中性脂肪又は／及び脂肪酸又は／及び石鹸素地に木質成分の熱分解液の水性部分又は／及びその塩を配合して製造したので、独特の燻臭が抑えられて利用しやすくなった木質石鹸を提供することができる。